(57)【要約】【課題】コネクタへの不正アクセスを抑制する。【解決手段】第１コネクタと第２コネクタとが嵌合されたコネクタを保護カバーで覆ったコネクタのセキュリティ構造であって、第１コネクタの外壁には被係止部が設けられるとともに、第２コネクタには後方から複数の電線が導出されており、保護カバーは、第１コネクタと第２コネクタとの嵌合方向に沿って分割された一対の分割カバー体からなるとともに、一対の分割カバー体は専用治具により固定解除可能な固定手段により互いに組付固定されており、組付状態の保護カバーは、嵌合状態における第１コネクタと第２コネクタとの境界部を覆う嵌合被覆部と、第１コネクタの被係止部に係止する係止部と、複数の電線の第２コネクタからの導出部を覆う導出被覆部と、複数の電線を外側へ導出する電線導出口と、を備えている。【選択図】図４
2017059333.tif 000002
【特許請求の範囲】
【請求項１】
第１コネクタと第２コネクタとが嵌合されたコネクタを保護カバーで覆ったコネクタのセキュリティ構造であって、
前記第１コネクタの外壁には被係止部が設けられるとともに、前記第２コネクタには後方から複数の電線が導出されており、
前記保護カバーは、前記第１コネクタと前記第２コネクタとの嵌合方向に沿って分割された一対の分割カバー体からなるとともに、当該一対の分割カバー体は専用治具により固定解除可能な固定手段により互いに組付固定されており、
組付状態の前記保護カバーは、
嵌合状態における前記第１コネクタと前記第２コネクタとの境界部を覆う嵌合被覆部と、
前記第１コネクタの前記被係止部に係止する係止部と、
前記複数の電線の前記第２コネクタからの導出部を覆う導出被覆部と、
前記複数の電線を外側へ導出する電線導出口と、
を備えている、コネクタのセキュリティ構造。
【請求項２】
前記保護カバーは、前記第２コネクタから導出された前記複数の電線を前記電線導出口に向けて収束させる電線収束部を備える請求項１に記載のコネクタのセキュリティ構造。
【請求項３】
前記保護カバーは、前記電線導出口と前記複数の電線との隙間を塞ぐ塞ぎ栓を備えている請求項１または請求項２のいずれか一項に記載のコネクタのセキュリティ構造。
【請求項４】
前記係止部は前記保護カバーの内壁に設けられている請求項１ないし請求項３のいずれか一項に記載のコネクタのセキュリティ構造。
【請求項５】
前記第２コネクタには、その外壁において後方側に向けて片持ち状に延びた形状をなして前記第１コネクタと嵌合状態にロックするロックアームが設けられるとともに、前記ロックアームは、前記嵌合状態においてその後端が前記第１コネクタから外側に突出して配されており、
前記嵌合被覆部には前記ロックアームの後端を嵌め入れる受け凹部が設けられている請求項１ないし請求項４のいずれか一項に記載のコネクタのセキュリティ構造。
【請求項６】
第１コネクタと第２コネクタとが嵌合されたコネクタのセキュリティ構造に用いられる保護カバーであって、
前記第１コネクタと前記第２コネクタとの嵌合方向に沿って分割された一対の分割カバー体からなるとともに、当該一対の分割カバー体は専用治具により固定解除可能な固定手段により互いに組付固定されるようになっており、
前記一対の分割カバー体の組付状態において、
嵌合状態における前記第１コネクタと前記第２コネクタとの境界部を覆う嵌合被覆部と、
前記第１コネクタの外壁に設けられた被係止部に係止する係止部と、
前記第２コネクタの後方から導出された複数の電線の前記第２コネクタからの導出部を覆う導出被覆部と、
前記複数の電線を外側へ導出する電線導出口と、を備えている、保護カバー。
【発明の詳細な説明】
【技術分野】
【０００１】
本明細書に開示される技術は、不正アクセスを抑制するコネクタのセキュリティ構造、および、コネクタのセキュリティ構造に用いられる保護カバーに関する。
【背景技術】
【０００２】
近年、車両の分野では、車載機器を制御する多数の制御機器（ＥＣＵ：Electronic Control Unit）を通信バスで接続し、ＣＡＮ（Controller Area Network）等の通信プロトコルに従って相互に情報を送受信させ、多様な処理を行なう構成が一般的となっている。これらＥＣＵの数はますます増加傾向にあるが、１本の通信バスに接続されるＥＣＵの数は制限されるため、ＥＣＵを複数の群に分け、群毎に１本の通信バスに接続し、異なる通信バス間を中継装置（ＧＷ：Gate Way）で中継する構成が採用されている（図８参照）。
【先行技術文献】
【特許文献】
【０００３】
【特許文献１】特開２００４−１５２５４３号公報
【発明の概要】
【発明が解決しようとする課題】
【０００４】
しかし、ＣＡＮにはセキュリティ機能が備えられていないため、高度な知識がなくてもコネクタやＪ／Ｃから容易にネットワークにアクセスすることができる。このような不正アクセスは、コネクタの正面や背面から接続ピンを挿入するだけで、簡単に行うことが可能である。
【０００５】
本明細書に開示される技術は上記のような事情に基づいて完成されたものであって、車載用のコネクタにおいて、不正アクセスを抑制することを目的とする。
【課題を解決するための手段】
【０００６】
本明細書に開示される技術は、第１コネクタと第２コネクタとが嵌合されたコネクタを保護カバーで覆ったコネクタのセキュリティ構造であって、前記第１コネクタの外壁には被係止部が設けられるとともに、前記第２コネクタには後方から複数の電線が導出されており、前記保護カバーは、前記第１コネクタと前記第２コネクタとの嵌合方向に沿って分割された一対の分割カバー体からなるとともに、当該一対の分割カバー体は専用治具により固定解除可能な固定手段により互いに組付固定されており、組付状態の前記保護カバーは、嵌合状態における前記第１コネクタと前記第２コネクタとの境界部を覆う嵌合被覆部と、前記第１コネクタの前記被係止部に係止する係止部と、前記複数の電線の前記第２コネクタからの導出部を覆う導出被覆部と、前記複数の電線を外側へ導出する電線導出口と、を備えていることを特徴とする。
【０００７】
また本明細書に開示される技術は、第１コネクタと第２コネクタとが嵌合されたコネクタのセキュリティ構造に用いられる保護カバーであって、前記第１コネクタと前記第２コネクタとの嵌合方向に沿って分割された一対の分割カバー体からなるとともに、当該一対の分割カバー体は専用治具により固定解除可能な固定手段により互いに組付固定されるようになっており、前記一対の分割カバー体の組付状態において、嵌合状態における前記第１コネクタと前記第２コネクタとの境界部を覆う嵌合被覆部と、前記第１コネクタの外壁に設けられた被係止部に係止する係止部と、前記第２コネクタの後方から導出された複数の電線の前記第２コネクタからの導出部を覆う導出被覆部と、前記複数の電線を外側へ導出する電線導出口と、を備えていることを特徴とする。
【０００８】
上記構成によれば、保護カバーは、コネクタの嵌合方向に沿って分割された一対の分割カバー体から構成されているから、嵌合状態のコネクタに対して後付けで装着することができる。しかも、互いに組付固定された一対の分割カバー体は専用治具でしか固定解除ができないから、専用治具を所持していない場合はコネクタから保護カバーを取り外すことが困難である。
【０００９】
しかも保護カバーは、第１コネクタの被係止部と係止する係止部を有する構成とされているから、コネクタを単に覆うだけでなく、コネクタに対して直接固定される。これらの構成により、保護カバーを取り外したり一部を無理やり破壊することは困難であり、コネクタの嵌合を解除することができない。すなわち、コネクタ正面からの不正アクセスを抑制することができる。
【００１０】
また保護カバーは、複数の電線の第２コネクタからの導出部を導出被覆部により覆いつつ、複数の電線を電線導出口から外側に導出するようになっているから、第２コネクタの背面からの不正アクセスも抑制することができる。
【００１１】
上記コネクタのセキュリティ構造は、以下の構成を備えていてもよい。
【００１２】
保護カバーは、第２コネクタから導出された複数の電線を電線導出口に向けて収束させる電線収束部を備えていてもよい。
【００１３】
このような構成によれば、第２コネクタから導出された複数の電線は、電線収束部により収束された後電線導出口から導出されるから、各電線がどの端子に接続された電線かが外側からわかり難い。また、電線導出口をなるべく小さく設定することができるから、第２コネクタの背面からの不正アクセスをより行い難くすることができる。
【００１４】
保護カバーは、電線導出口と複数の電線との隙間を塞ぐ塞ぎ栓を備えていてもよい。このような構成によれば、塞ぎ栓により隙間が減少し、第２コネクタ背面からの不正アクセスをさらに行い難くすることができる。
【００１５】
また、係止部は組付状態の保護カバーの内壁に設けてもよい。このような構成によれば、係止部と被係止部の係止構造が保護カバーの外部に露出しないから、保護カバーとコネクタとの固定状態が安定的に保持される。ひいては、コネクタの嵌合状態が安定的に保持されるから、コネクタ正面からの不正アクセスを抑制することができる。
【００１６】
第２コネクタには、その外壁において後方側に向けて片持ち状に延びた形状をなして第１コネクタと嵌合状態にロックするロックアームが設けられるとともに、ロックアームは、嵌合状態においてその後端が第１コネクタから外側に突出して配されており、嵌合被覆部にはロックアームの後端を嵌め入れる受け凹部が設けられていてもよい。
【００１７】
このような構成によれば、ロックアームは嵌合被覆部に覆われており、保護カバーの外側から直接操作できない。すなわち、保護カバーをコネクタから取り外さない限りコネクタの嵌合を解除できないから、より確実にコネクタへの不正アクセスを抑制することができる。
【００１８】
また、一対の分割カバー体のうちロックアームを覆う一方側に受け凹部が設けられるから、一対の分割カバー体をコネクタに対して正しい向きで装着することができる。
【発明の効果】
【００１９】
本明細書に開示される技術によれば、コネクタへの不正アクセスを抑制することができる。
【図面の簡単な説明】
【００２０】
【図１】一実施形態のコネクタのセキュリティ構造を示す分解斜視図
【図２】同じく分解側断面図
【図３】同じく完成形態の斜視図
【図４】同じく完成形態の側断面図
【図５】保護カバーの第１分割カバー体の斜視図
【図６】保護カバーの第２分割カバー体の斜視図
【図７】車両の制御系の一例を示す構成図
【図８】従来の車両の制御系の一例を示す構成図
【発明を実施するための形態】
【００２１】
一実施形態を図１ないし図７によって説明する。
【００２２】
本実施形態は車両に搭載されるコネクタのセキュリティ構造１であって、図１に示すように、機器側コネクタ１０と電線側コネクタ２０とが嵌合された嵌合状態のコネクタ５を保護カバー４０で覆ったものである。図２はその分解側断面図であり、図２中左側に示すコネクタ１０は、ＧＷ等の電気接続箱の図示しないケースに設けられた機器側コネクタ１０、右側は機器側コネクタ１０に嵌合接続される電線側コネクタ２０である。以下、図２の上側を上方、下側を下方、図２の紙面に垂直な方向を幅方向、それぞれ相手側コネクタとの嵌合方向を前方、嵌合離脱方向を後方として説明する。
【００２３】
機器側コネクタ１０は（第１コネクタの一例）、プリント基板１６が内部に収容された図示しないケースに設けられた機器側ハウジング１１と、機器側ハウジング１１に保持されたタブ状の雄端子１７と、を備えて構成されている。
【００２４】
機器側ハウジング１１はフード状をなしており、その開口がプリント基板１６の板面の側方かつケースの外側に向けて開口するように配されている。また、その奥壁１２からは、タブ状の雄端子１７が開口に向けて突出している。雄端子１７は、一端側がプリント基板１６の図示しない電子回路に接続されるとともに中間部が屈曲されたＬ字形状をなしており、他端側が機器側ハウジング１１の奥壁１２を貫通することにより、ケースの内側から機器側ハウジング１１内に突出している。
【００２５】
機器側ハウジング１１の上壁１３のうち、嵌合方向（図２の左右方向）における中央部よりやや前方寄り（図２の右側）の内壁には、後述する電線側ハウジング２１のロックアーム２５を係止するための係止部１４が設けられている。この係止部１４は、機器側ハウジング１１の前方（開口側）から後方（奥壁１２側）に向けて上壁１３の板厚が薄くなる方向に段差状とすることにより形成されている。
【００２６】
また、係止部１４より前方側には、外面から内側に向けて窪む係合溝１５（被係止部の一例）が機器側ハウジング１１の全周に亘って設けられている。
【００２７】
一方電線側コネクタ２０（第２コネクタの一例）は、電線Ｗの端末に接続された雌端子３０と、雌端子３０を内部に収容するとともに機器側ハウジング１１内に嵌合される合成樹脂製の電線側ハウジング２１と、を備えて構成されている。
【００２８】
より詳細には、電線側ハウジング２１は、雌端子３０が後方から収容されるキャビティ２３を有するハウジング本体２２と、このハウジング本体２２の上壁２４に一体に設けられたロックアーム２５と、を備えている。雌端子３０は、キャビティ２３の底部に形成された図示しないランスにより、キャビティ２３内に抜け止め状態に保持されている。
【００２９】
ロックアーム２５は、前後方向に細長い形態をなしてハウジング本体２２の前後方向の中央よりやや前方付近から後方側に向けて片持ち状に延びており、弾性的に上下方向に傾動可能とされている。
【００３０】
ロックアーム２５の前後方向の中央付近には、機器側ハウジング１１の係止部１４に係止するための係止爪２６が上方に向けて突出している。この係止爪２６の前面側（図２中左側）は、後方かつ上方に向けて傾斜する傾斜面２６Ａとされている。
【００３１】
また、ロックアーム２５の後端部は上方に向けてＬ字形状に立ち上がっており、ロックアーム２５を下方に押圧してロック解除操作を行うための解除操作部２７とされている。解除操作部２７は、両コネクタ１０，２０の嵌合状態において、機器側ハウジング１１の前端から外側にはみ出す寸法とされている。
【００３２】
機器側コネクタ１０と電線側コネクタ２０との嵌合過程において、ロックアーム２５は傾斜面２６Ａに案内されつつ機器側ハウジング１１の上壁１３に押し下げされることにより、ハウジング本体２２側に向けて弾性変位される。そして、機器側コネクタ１０と電線側コネクタ２０とが正規の嵌合位置に至るとロックアーム２５が弾性復帰し、係止爪２６と係止部１４とが前後方向に係止することで、図２に示すように、両コネクタ１０，２０が正規の嵌合状態に保持されるようになっている。
【００３３】
また、両コネクタ１０，２０の嵌合状態を解除させる際には、解除操作部２７をハウジング本体２２側に向けて押圧操作することによりロックアーム２５を弾性変位させ、係止爪２６と係止部１４との係止状態を解除できるようになっている。
【００３４】
一方保護カバー４０は、両コネクタ１０，２０の嵌合方向に沿って分割された一対の分割カバー体４０Ａ，４０Ｂから構成されている。以下、図１および図２の上側に配された分割カバー体を第１分割カバー体４０Ａ、下側に配された分割カバー体を第２分割カバー体４０Ｂとして説明する。また、図３および図４に示すように、第１分割カバー体４０Ａと第２分割カバー体４０Ｂとが組み付けられた状態のものを、保護カバー４０として説明する。
【００３５】
保護カバー４０は、嵌合状態のコネクタ５のうち機器側コネクタ１０の前端付近から、雌端子３０と接続され電線側コネクタ２０の後方に引き出された複数の電線Ｗを覆う扁平な箱形をなしている。より詳細には、保護カバー４０は、機器側コネクタ１０と電線側コネクタ２０との境界部を外側から覆う嵌合被覆部４１と、複数の電線Ｗの電線側コネクタ２０からの導出部を覆う導出被覆部４２と、電線側コネクタ２０から導出された複数の電線Ｗを後方に向けて収束させる電線収束部４３と、収束された複数の電線Ｗを保護カバー４０の外側へ導出する電線導出口４４と、を備えている。また、電線導出口４４には、電線導出口４４と複数の電線Ｗとの隙間を塞ぐ塞ぎ栓７０が設けられている。
【００３６】
嵌合被覆部４１は、導出被覆部４２から外側（上下方向）に向けて立設された立壁４５を介して上下方向に張り出すとともに機器側ハウジング１１の前端部分、すなわち、機器側コネクタ１０と電線側コネクタ２０との境界部を含む領域に外側から覆い被さっており、その内壁には、幅方向に沿って一対の係合リブ４６Ａ，４６Ｂが設けられている。これらの係合リブ４６Ａ，４６Ｂのうち端部側（図２の左側）の第１係合リブ４６Ａ（係止部の一例）は、機器側ハウジング１１の上述した係合溝１５内に嵌まり込む位置および寸法に設定されており、他方側（図２の右側）の第２係合リブ４６Ｂは、機器側ハウジング１１の前端面に当接することで第１係合リブ４６Ａとの間に機器側ハウジング１１のうち係合溝１５より前方側の領域を挟持する位置および寸法に設定されている（図４参照）。換言すると、第１係合リブ４６Ａおよび第２係合リブ４６Ｂは、機器側ハウジング１１の前端部と互い違いに噛み合っている。
【００３７】
また立壁４５は、コネクタ５に保護カバー４０が装着された状態において、コネクタ５の端面（図４の右側の面）に沿う位置に配されている。また、その内面側（図２の左側の面）には、機器側ハウジング１１から突出したロックアーム２５の解除操作部２７を嵌め入れる受け凹部４７が設けられている。
【００３８】
電線収束部４３は導出被覆部４２に連なって設けられており、後方に向けて幅寸法を徐々に狭めた先細の形態をなしている。電線側コネクタ２０から引き出された複数の電線Ｗは、この電線収束部４３により後方側に向けて束ねられ、保護カバー４０の後端部に設けられた電線導出口４４から外側に導出されている。
【００３９】
電線導出口４４付近には、幅方向に延びる一対の位置決めリブ４８が設けられており、これらの位置決めリブ４８の間に、直方体状の塞ぎ栓７０が配されている。塞ぎ栓７０は弾性を有する合成樹脂製であり、上下方向から複数の電線Ｗを挟み込むようになっている。
【００４０】
上述したように、保護カバー４０は一対の分割カバー体４０Ａ，４０Ｂを組み付けることにより構成されており、このうち、第１分割カバー体４０Ａの両側壁の下端部は、その内側が所定幅切り欠かれて薄肉とされた第１薄肉部４９Ａとされる（図５参照）とともに、第２分割カバー体４０Ｂの両側壁の上端部は、その外側が所定幅切り欠かれて薄肉とされた第２薄肉部４９Ｂとされている（図６参照）。第１分割カバー体４０Ａと第２分割カバー体４０Ｂとが組み付けられる際には、第１薄肉部４９Ａと第２薄肉部４９Ｂとが重ね合わされることにより、保護カバー４０の組付状態が安定的に保持されるようになっている。
【００４１】
また、これら一対の分割カバー体４０Ａ，４０Ｂは、専用治具により固定解除可能な鍵部５０（固定手段の一例）により互いに固定されている。鍵部５０は、一対のロックピン５１と、ロックピン５１を内部に嵌合可能な一対の嵌合孔５４と、ロックピン５１を係止および係止解除可能なロック部材６０と、を備えて構成されている。
【００４２】
より詳細には、図５に示すように、一対のロックピン５１は第１分割カバー体４０Ａに一体に設けられており、電線収束部４３の下面側において前後方向（図２の左右方向）に並ぶとともに下方に向けて丸棒状に突出している。一対のロックピン５１のうち互いに対向する位置には、それぞれ係止溝５２が切欠き形成されている。
【００４３】
一方嵌合孔５４は、図６に示すように、第２分割カバー体４０Ｂのうち、一対のロックピン５１に対応する位置を含む領域に一体に設けられた直方体状の受け部５３に穿設されている。また、第２分割カバー体４０Ｂの電線収束部４３のうち受け部５３が形成された領域には、第２分割カバー体４０Ｂの下面側から上方に向けて環状に穿設された環状孔部５５が設けられている（図２参照）。この環状孔部５５は、その外周縁部の一部が一対の嵌合孔５４に連通する位置および寸法に設定されている。
【００４４】
この環状孔部５５には、ロック部材６０が嵌め込まれている。ロック部材６０は、円盤状の操作部６１と、操作部６１から上方に突出して環状孔部５５内に遊嵌される一対の係止片６２を備えている。一対の係止片６２の先端には、ロックピン５１の係止溝５２に係止するための係止爪６３が外側に向けて突出して形成されており、これらの係止爪６３は嵌合孔５４内に突出して配されている。これらの係止爪６３は、上方および両側方が外側に向けて斜めに切り欠かれた傾斜面とされている。また一対の係止片６２は、環状孔部５５内において内側に向けて弾性変形可能な寸法に設定されている。なお操作部６１の外面（下面）には、キー溝（図示せず）が形成されている。
【００４５】
第１分割カバー体４０Ａと第２分割カバー体４０Ｂとが組み付けられる際には、第１分割カバー体４０Ａに設けられた一対のロックピン５１が第２分割カバー体４０Ｂに設けられた一対の嵌合孔５４に嵌め入れられるとともに、ロックピン５１の係止溝５２内にロック部材６０の係止爪６３が嵌め入れられ、これにより、ロックピン５１と嵌合孔５４との嵌合状態がロックされるようになっている。すなわち、第１分割カバー体４０Ａと第２分割カバー体４０Ｂとの組み付け状態（保護カバー４０）が固定されるようになっている（図４参照）。
【００４６】
一方、保護カバー４０をコネクタ５から取り外す際には、ロック部材６０の操作部６１に設けられたキー溝内に図示しない専用治具を嵌め入れ、ロック部材６０を回転操作する。すると、一対の係止片６２の係止爪６３が嵌合孔５４の内壁に押されて内側に向けて弾性変形し、係止爪６３全体が環状孔部５５内に後退することで、係止爪６３とロックピン５１の係止溝５２との係止状態が解除される。もって、ロックピン５１を嵌合孔５４から引き抜くことが可能となり、第１分割カバー体４０Ａおよび第２分割カバー体４０Ｂを分離させることができる。
【００４７】
本実施形態のコネクタのセキュリティ構造１は上述した通りであって、次に、作用効果について説明する。
【００４８】
本実施形態によれば、保護カバー４０は、コネクタ５の嵌合方向に沿って分割された第１分割カバー体４０Ａおよび第２分割カバー体４０Ｂから構成されているから、嵌合状態のコネクタ５に対して後付けで装着することができる。しかも、これら一対の分割カバー体４０Ａ，４０Ｂは、専用治具をロック部材６０のキー溝に合致させて回転させることでしか鍵部５０のロック状態を解除することができないから、専用治具を所持していない場合はコネクタ５から保護カバー４０を取り外すことが困難である。
【００４９】
また保護カバー４０は、第１係合リブ４６Ａが機器側コネクタ１０に設けられた係合溝１５と係合する構成とされているから、コネクタ５を単に覆うだけでなく、コネクタ５に対して直接固定されるようになっている。よって、保護カバー４０を取り外したり、端縁部から治具を挿入して一部を無理やり破壊したりすることは困難であり、もって、コネクタ５の嵌合を解除することができない。
【００５０】
しかも、第１係合リブ４６Ａは嵌合被覆部４１の内壁に設けられているから、保護カバー４０とコネクタ５との係合構造が保護カバー４０の外部に露出していない。すなわち、保護カバー４０の組み付け状態は安定的に保持され、ひいては、コネクタ５の嵌合状態が安定的に保持されるから、機器側コネクタ１０あるいは電線側コネクタ２０の正面からの不正アクセスを抑制することができる。
【００５１】
また、保護カバー４０は、複数の電線Ｗの電線側コネクタ２０からの導出部を導出被覆部４２により覆いつつ複数の電線Ｗを電線導出口４４から外側に導出するようになっているから、電線側コネクタ２０の背面からの不正アクセスも抑制することができる。
【００５２】
また、複数の電線Ｗは電線収束部４３により収束された後、電線導出口４４から導出されるようになっているから、導出された各電線Ｗがどの端子に接続された電線Ｗかが外側からわかり難くなっている。また、電線導出口４４をなるべく小さく設定することができるから、電線側コネクタ２０の背面側からの不正アクセスをより行い難くすることができる。
【００５３】
しかも保護カバー４０は、電線導出口４４と複数の電線Ｗとの隙間を塞ぐ塞ぎ栓７０を備えているから、隙間が減少する。すなわち、電線側コネクタ２０の背面側からの不正アクセスをさらに行い難くすることができる。
【００５４】
また、電線側コネクタ２０に設けられたロックアーム２５は、機器側コネクタ１０および電線側コネクタ２０の嵌合状態において、機器側コネクタ１０から露出した部分が嵌合被覆部４１により覆われるようになっているから、保護カバー４０の外側から直接操作することができない。
【００５５】
またロックアーム２５は、その後端の解除操作部２７が嵌合被覆部４１の内側に設けられた受け凹部４７内に嵌め入れられるようになっているから、第１分割カバー体４０Ａおよび第２分割カバー体４０Ｂによりコネクタ５を覆う際に、両者が入れ違って誤った方向から組み付けようとしても、ロックアーム２５が邪魔になって組み付けることができない。すなわち、誤った向きであることが認識されるようになっているから、一対の分割カバー体４０Ａ，４０Ｂをコネクタ５に対して正しい向きで装着することができる。
【００５６】
本実施形態によれば、車載用のコネクタ５において、不正アクセスを抑制できるコネクタのセキュリティ構造１が得られる。すなわち、ＥＵＣの不正接続やタッピングによる情報の不正取得を防ぐことができる（図７参照）。
【００５７】
＜他の実施形態＞
本明細書に開示される技術は上記記述及び図面によって説明した実施形態に限定されるものではなく、例えば次のような実施形態も技術的範囲に含まれる。
【００５８】
（１）上記実施形態では、保護カバー４０に電線収束部４３を設ける構成としたが、電線収束部４３は必ずしも必要でなく、単なる直方体の箱形の保護カバーとしてもよい。
【００５９】
（２）また、塞ぎ栓７０も必ずしもなくてもよく、電線導出口が複数の電線Ｗに対して十分に小さく、隙間がほとんど無い場合には、省略することもできる。
【００６０】
（３）上記実施形態では、機器側コネクタ１０の係合溝１５と保護カバー４０の第１係合リブ４６Ａとの係合構造が嵌合被覆部４１により覆われて保護カバー４０の外側に露出しない構成としたが、例えば、保護カバーの前端縁から延設したＵ字形状の係止片を機器側コネクタに設けた突部に引掛けて係止する等、外側に露出する構成の係止部を設けてもよい。
【００６１】
（４）上記実施形態では、保護カバー４０の内側にロックアーム２５の解除操作部２７を嵌め入れる受け凹部４７を設けたが、ロックアームと保護カバーとがもともと干渉しない構成とされている場合には、受け凹部４７を省略してもよい。
【００６２】
（５）第１分割カバー体４０Ａと第２分割カバー体４０Ｂとの固定構造は、上記鍵部５０に限定されるものではなく、専用治具を使用して固定解除する固定手段であればどのような構成のものでもよい。
【符号の説明】
【００６３】
１…コネクタのセキュリティ構造
５…コネクタ
１０…機器側コネクタ（第１コネクタ）
１５…係合溝（被係止部）
２０…電線側コネクタ（第２コネクタ）
２５…ロックアーム
２７…解除操作部（後端）
４０…保護カバー
４０Ａ…第１分割カバー体
４０Ｂ…第２分割カバー体
４１…嵌合被覆部
４２…導出被覆部
４３…電線収束部
４４…電線導出口
４６Ａ…第１係合リブ（係止部）
４６…受け凹部
５０…鍵部（固定手段）
５１…ロックピン
５４…嵌合孔
６０…ロック部材
７０…塞ぎ栓
Ｗ…電線
【図１】
2017059333.tif 000003
【図２】
2017059333.tif 000004
【図３】
2017059333.tif 000005
【図４】
2017059333.tif 000006
【図５】
2017059333.tif 000007
【図６】
2017059333.tif 000008
【図７】
2017059333.tif 000009
【図８】
2017059333.tif 000010